(57)【要約】【課題】その時々で最適なデータ転送先を適宜に選択することを可能としたネットワークシステムを提供する。【解決手段】インターホン１は、カメラ、マイク、ボタンの入力装置と、スピーカの出力装置とを備えており、訪問者によってボタンが押下されると、カメラによる画像の撮影およびマイクによる音声の入力を行い、その画像および音声を操作パネル１１に送信する。また、インターホン１は、その画像および音声をホームサーバ２にも送信する。一方、この画像および音声を受信したホームサーバ２は、ユーザ６を感知しているセンサ３をＬＡＮ１００経由で認識し、そのセンサ３に対応づけられた映像・音響機器（例えばパーソナルコンピュータ５ａ）をデータ転送先に選択して、インターホン１から受信した画像および音声をその選択した映像・音響機器にＬＡＮ１００経由で転送する。【選択図】    図１
2004266453.tif 000002
【特許請求の範囲】
【請求項１】
対人感知センサを少なくとも１つ備え、第１のデバイスから送信されたデータをサーバ機器を介して第２のデバイスに転送するネットワークシステムであって、
前記サーバ機器は、
前記センサと前記第２のデバイスとの対応関係が示された位置情報を保持する位置情報保持手段と、
前記センサの感知情報および前記位置情報保持手段に保持された位置情報に基づき、前記第１のデバイスから送信されたデータの転送先とする前記第２のデバイスを選択する転送先選択手段と、
前記転送先選択手段により選択された前記第２のデバイスに前記第１のデバイスから送信されたデータを転送するデータ転送手段と
を具備することを特徴とするネットワークシステム。
【請求項２】
前記第１のデバイスは、カメラおよびマイクを備えたインターホンであり、前記カメラにより撮影された画像および前記マイクにより入力された音声の各データを前記サーバ機器に送信することを特徴とする請求項１記載のネットワークシステム。
【請求項３】
前記センサは、互いに異なる部屋毎に設置されることを特徴とする請求項１記載のネットワークシステム。
【請求項４】
前記サーバ機器の転送先選択手段は、人を感知している前記センサが複数存在する場合、それらのセンサに前記位置情報によって対応づけられた前記第２のデバイスすべてを前記第１のデバイスから送信されたデータの転送先として選択することを特徴とする請求項１記載のネットワークシステム。
【請求項５】
前記第２のデバイスは、電源オフ時に、前記第１のデバイスから送信されたデータの転送を前記サーバ機器から受けた場合に、電源を自動的にオンするか否かを設定する環境設定手段を具備することを特徴とする請求項１記載のネットワークシステム。
【請求項６】
前記第２のデバイスは、
表示装置と、
前記第１のデバイスから送信され、前記サーバ機器により転送された画像データを前記表示装置に表示中の画像データに重畳させる画像重畳手段と
を具備することを特徴とする請求項１記載のネットワークシステム。
【請求項７】
前記第２のデバイスは、前記第１のデバイスから送信された画像データの転送を前記サーバ機器から受けた場合に、その画像データを表示中の画像データに重畳させるか否かを設定する環境設定手段を具備することを特徴とする請求項６記載のネットワークシステム。
【請求項８】
前記第１のデバイスは、データの受取人を指定する指定手段を具備し、
前記センサは、感知した人を特定する手段を具備し、
前記サーバ機器の転送先選択手段は、前記第１のデバイスの指定手段により指定された受取人を感知している前記センサに前記位置情報によって対応づけられた前記第２のデバイスを、前記第１のデバイスから送信されたデータの転送先として選択することを特徴とする請求項１記載のネットワークシステム。
【請求項９】
前記第１のデバイスは、ネットワークを通じて画像付きの通話を行うテレビ電話機であり、
前記センサは、感知した人を特定する手段を具備し、
前記サーバ機器は、
前記センサにより特定可能な各人が使用する通話機器が示されたユーザ情報を保持するユーザ情報保持手段を具備し、
前記データ転送手段が、前記転送先選択手段により選択された前記第２のデバイスに前記第１のデバイスから送信された画像データを転送するとともに、前記センサにより特定された人が使用するものとして前記ユーザ情報保持手段により示された通話機器に前記第１のデバイスから送信された音声データを転送し、かつ、前記通話機器から送信された音声データを前記第１のデバイスに転送する手段を有することを特徴とする請求項１記載のネットワークシステム。
【請求項１０】
第１のデバイスから送信されたデータを第２のデバイスに転送するサーバ機器であって、
少なくとも１つの対人感知センサの感知情報を取得するユーザ位置判別手段と、
前記センサと前記第２のデバイスとの対応関係が示された位置情報を保持する位置情報保持手段と、
前記ユーザ位置判別手段により取得された前記センサの感知情報および前記位置情報保持手段に保持された位置情報に基づき、前記第１のデバイスから送信されたデータの転送先とする前記第２のデバイスを選択する転送先選択手段と、
前記転送先選択手段により選択された前記第２のデバイスに前記第１のデバイスから送信されたデータを転送するデータ転送手段と
を具備することを特徴とするサーバ機器。
【請求項１１】
前記転送先選択手段は、人を感知している前記センサが複数存在する場合、それらのセンサに前記位置情報によって対応づけられた前記第２のデバイスすべてを前記第１のデバイスから送信されたデータの転送先として選択することを特徴とする請求項１０記載のサーバ機器。
【請求項１２】
前記転送先選択手段は、前記第１のデバイスにより指定された受取人を感知している前記センサに前記位置情報によって対応づけられた前記第２のデバイスを、前記第１のデバイスから送信されたデータの転送先として選択することを特徴とする請求項１０記載のサーバ機器。
【請求項１３】
前記センサにより特定可能な各人が使用する通話機器が示されたユーザ情報を保持するユーザ情報保持手段を具備し、
前記データ転送手段は、前記転送先選択手段により選択された前記第２のデバイスに前記第１のデバイスから送信された画像データを転送するとともに、前記センサにより特定された人が使用するものとして前記ユーザ情報保持手段により示された通話機器に前記第１のデバイスから送信された音声データを転送し、かつ、前記通話機器から送信された音声データを前記第１のデバイスに転送する手段を有することを特徴とする請求項１０記載のサーバ機器。
【請求項１４】
第１のデバイスから送信されたデータを第２のデバイスに転送する通信方法であって、
少なくとも１つの対人感知センサの感知情報を取得するユーザ位置判別ステップと、
前記ユーザ位置判別ステップにより取得された前記センサの感知情報および前記対人感知センサと前記第２のデバイスとの対応関係が示された位置情報に基づき、前記第１のデバイスから送信されたデータの転送先とする前記第２のデバイスを選択する転送先選択ステップと、
前記転送先選択ステップにより選択された前記第２のデバイスに前記第１のデバイスから送信されたデータを転送するデータ転送ステップと
を具備することを特徴とする通信方法。
【請求項１５】
前記転送先選択ステップは、人を感知している前記センサが複数存在する場合、それらのセンサに前記位置情報によって対応づけられた前記第２のデバイスすべてを前記第１のデバイスから送信されたデータの転送先として選択することを特徴とする請求項１４記載の通信方法。
【請求項１６】
前記転送先選択ステップは、前記第１のデバイスにより指定された受取人を感知している前記センサに前記位置情報によって対応づけられた前記第２のデバイスを、前記第１のデバイスから送信されたデータの転送先として選択することを特徴とする請求項１４記載の通信方法。
【請求項１７】
前記データ転送ステップは、前記転送先選択ステップにより選択された前記第２のデバイスに前記第１のデバイスから送信された画像データを転送するとともに、前記センサにより特定可能な各人が使用する通話機器が示されたユーザ情報に基づき、前記センサにより特定された人が使用する通話機器に前記第１のデバイスから送信された音声データを転送し、かつ、前記通話機器から送信された音声データを前記第１のデバイスに転送するステップを有することを特徴とする請求項１４記載の通信方法。
【発明の詳細な説明】
【０００１】
【発明の属する技術分野】
この発明は、ネットワークシステム、サーバ機器および通信方法に関する。
【０００２】
【従来の技術】
近年、通信技術および情報処理技術の向上に伴い、家庭内の電子機器を相互に接続するホームネットワークが普及し始めている。このホームネットワークを屋内に敷設すれば、各部屋に点在する種々の電子機器を有機的に結合させることができるため、様々な付加価値を生み出すことが可能である。
【０００３】
例えば、特許文献１に記載のホームネットワークシステムでは、複数の外部放送信号をホームサーバで一括して受信し、この受信した外部放送信号をホームサーバから各部屋の表示装置に配信する仕組みをもつことにより、利用者が、例えば配線などに囚われずに、任意の部屋で所望の放送サービスを享受することを可能としている。
【０００４】
【特許文献１】
特開２００２−１３５７４５号公報
【０００５】
【発明が解決しようとする課題】
ところで、前述のネットワークシステムでは、ホームサーバは、各部屋の表示装置からの要望に応じて、受信した外部放送信号を送信する。つまり、外部放送信号をどの表示装置に送信するかは、送信先である各部屋の表示装置での操作によって決定されている。
【０００６】
これに対して、ホームサーバが受信した各種データを、その時に利用者がいる部屋の電子機器に自動的に転送して欲しいという要求もある。しかしながら、前述のネットワークシステムでは、ホームサーバ１は、相手側からの要求に基づいて送信先を受動的に選定するのみであり、その送信先を能動的に選定する機能は有していない。
【０００７】
この発明は、このような事情を考慮してなされたものであり、その時々で最適なデータ転送先を適宜に選択することを可能としたネットワークシステム、サーバ機器および通信方法を提供することを目的とする。
【０００８】
【課題を解決するための手段】
前述した目的を達成するために、この発明は、対人感知センサを少なくとも１つ備え、第１のデバイスから送信されたデータをサーバ機器を介して第２のデバイスに転送するネットワークシステムであって、前記サーバ機器は、前記センサと前記第２のデバイスとの対応関係が示された位置情報を保持する位置情報保持手段と、前記センサの感知情報および前記位置情報保持手段に保持された位置情報に基づき、前記第１のデバイスから送信されたデータの転送先とする前記第２のデバイスを選択する転送先選択手段と、前記転送先選択手段により選択された前記第２のデバイスに前記第１のデバイスから送信されたデータを転送するデータ転送手段とを具備することを特徴とする。
【０００９】
また、この発明は、第１のデバイスから送信されたデータを第２のデバイスに転送するサーバ機器であって、少なくとも１つの対人感知センサの感知情報を取得するユーザ位置判別手段と、前記センサと前記第２のデバイスとの対応関係が示された位置情報を保持する位置情報保持手段と、前記ユーザ位置判別手段により取得された前記センサの感知情報および前記位置情報保持手段に保持された位置情報に基づき、前記第１のデバイスから送信されたデータの転送先とする前記第２のデバイスを選択する転送先選択手段と、前記転送先選択手段により選択された前記第２のデバイスに前記第１のデバイスから送信されたデータを転送するデータ転送手段とを具備することを特徴とする。
【００１０】
また、この発明は、第１のデバイスから送信されたデータを第２のデバイスに転送する通信方法であって、少なくとも１つの対人感知センサの感知情報を取得するユーザ位置判別ステップと、前記ユーザ位置判別ステップにより取得された前記センサの感知情報および前記対人感知センサと前記第２のデバイスとの対応関係が示された位置情報に基づき、前記第１のデバイスから送信されたデータの転送先とする前記第２のデバイスを選択する転送先選択ステップと、前記転送先選択ステップにより選択された前記第２のデバイスに前記第１のデバイスから送信されたデータを転送するデータ転送ステップとを具備することを特徴とする。
【００１１】
これらの発明においては、センサによって利用者の位置を判別し、その位置に適したデバイスを選択するといった、その時の状況に応じたデータ転送先の自動選択が可能となる。
【００１２】
【発明の実施の形態】
以下、図面を参照してこの発明の実施形態を説明する。
【００１３】
（第１実施形態）
まず、この発明の第１実施形態について説明する。図１には、この発明の第１実施形態に係るホームネットワークシステムの構成が示されている。
【００１４】
このホームネットワークシステムは、インターホン１、ホームサーバ２、人感センサ３、テレビジョン受像機４、パーソナルコンピュータ５ａ，５ｂなどから構成されている。ホームサーバ２は、このホームネットワークシステムの中核を担う電子機器であり、パーソナルコンピュータ５ａ，５ｂなどに対して、テレビジョン放送の録画再生やインターネット閲覧等のサービスを提供する。このホームサーバ２と人感センサ３、テレビジョン受像機４およびパーソナルコンピュータ５ａ，５ｂとは、屋内に敷設されたローカルエリアネットワーク（ＬＡＮ）１００を介して接続される。また、このホームサーバ２には、玄関先などに設置されるインターホン１が接続されている。
【００１５】
インターホン１は、カメラ、マイク、ボタンの入力装置と、スピーカの出力装置とを備えており、訪問者によってボタンが押下されると、カメラによる画像の撮影およびマイクによる音声の入力を行い、その画像および音声を操作パネル１１に送信する。操作パネル１１には、マイク、ボタンの入力装置と、モニタ、スピーカの出力装置とが設けられており、インターホン１から受信した画像はモニタに表示され、音声はスピーカから出力される。また、屋内の人間（ここでは、ユーザ６という）によってボタンが押下されると、マイクによる音声の入力を行い、その音声をインターホン１のスピーカから出力する。
【００１６】
また、このインターホン１が撮影した画像および入力した音声は、ホームサーバ２にも送信される。そして、このネットワークシステムは、インターホン１から送信された画像および音声を、ホームサーバ２が、テレビジョン受像器４およびパーソナルコンピュータ５ａ，５ｂに状況に応じて適切に転送可能とした点を特徴としており、以下、この点について詳述する。
【００１７】
いま、この家には、部屋Ａ〜部屋Ｄの４つの部屋があり、インターホン１の操作パネル１１は部屋Ｃに設置されているものと想定する。また、この部屋Ｃにはホームサーバ２も設置されている。一方、その他の部屋Ａにはテレビジョン受像機４、部屋Ｂにはパーソナルコンピュータ５ａ、部屋Ｄにはパーソナルコンピュータ５ｂがそれぞれ設置されている。そして、ユーザ６は、部屋Ｂでパーソナルコンピュータ５ａを使用しているものとする。
【００１８】
この状況で訪問者があった場合、ホームサーバ２は、インターホン１から送信された画面および音声を、ユーザ６が在室する部屋Ｂに設置されたパーソナルコンピュータ５ａに送信する。ここで、このホームサーバ２が実行する通信制御の動作原理を図２を参照しながら説明する。図２は、このホームネットワークシステムの機能ブロックを示す図である。
【００１９】
前述したように、インターホン１は、ボタン１１、カメラ１２、マイク１３およびスピーカ１４を備えており、その他に、ホームサーバ２との間で各種データを送受信するための送受信部１２を備えている。そして、訪問者がボタン１１を押下した際にカメラ１２によって撮影された画像の画像データおよびマイク１３によって入力された音声の音声データは、この送受信部１５からホームサーバ２へと送信される。
【００２０】
ホームサーバ２は、送受信部２１、ユーザ位置判別部２２、使用機器選択部２３および映像・音響機器位置情報保持部２４を有している。
【００２１】
送受信部２１は、インターホン１との間のデータ授受のほか、人感センサ３およびパーソナルコンピュータ５ａとの間のＬＡＮ１００経由の通信を制御するものであり、インターホン１から画像データおよび音声データを受信すると、その旨をユーザ位置判別部２２に通知する。
【００２２】
ユーザ位置判別部２２は、各部屋（部屋Ａ，部屋Ｂ，部屋Ｄ）に設置された人感センサ３の感知状況を送受信部２１経由で収集して、ユーザ６がどの部屋に在室しているのかを調べる。人感センサ３は、例えば放射した赤外線が何かに遮られていないかどうかを監視することによりユーザ６を感知するものであっても良いし、所定のレベル以上の音や熱を検知するものであっても良い。そして、ユーザ位置判別部２２は、どの人感センサ３がユーザ６を感知しているかを使用機器選択部２３に通知する。
【００２３】
なお、いずれの人感センサ３もユーザ６を感知していない場合、ユーザ位置判別部２２は、送受信部２１に対し、不在を告げる音声データをインターホン１に送信する旨を指示する。
【００２４】
使用機器選択部２３は、ユーザ位置判別部２２からの通知と、映像・音響機器位置情報保持部２４が保持する位置情報とに基づき、インターホン１から送信された画像データおよび音声データの転送先として使用する機器を選択する。図３には、映像・音響機器位置情報保持部２４が保持する位置情報の一例が示されている。
【００２５】
図３に示すように、映像・音響機器位置情報保持部２４によって保持される位置情報は、センサＩＤ、機器ＩＤ（アドレス）、映像再生機能の有無、音声再生機能の有無を格納する各フィールドを有するテーブル形式で構成される。ユーザ位置判別部２２からは、部屋Ｂに設置された人感センサ３がユーザ６を感知している旨の通知を受けるので、使用機器選択部２３は、この位置情報を参照することにより、インターホン１から送信された画像データおよび音声データの転送先としてパーソナルコンピュータ５ａを使用するのが最適であると判断する。
【００２６】
また、この時、使用機器選択部２３は、パーソナルコンピュータ５ａが映像再生機能および音声再生機能の両方を備えていることも認識できる。そこで、使用機器選択部２３は、送受信部２１に対し、インターホン１から送信された画像データおよび音声データの両方をパーソナルコンピュータ５ａに転送する旨を通知する。
【００２７】
そして、この通知を使用機器選択部２３から受け取った送受信部２１は、インターホン１から送信された画像データおよび音声データの両方をパーソナルコンピュータ５ａに転送する。
【００２８】
一方、転送先となったパーソナルコンピュータ５ａは、送受信部５１、画像重畳部５２、表示部５３、スピーカ５４および環境設定部５５を有している。
【００２９】
送受信部５１は、ホームサーバ２との間のＬＡＮ１００経由の通信を制御するものであり、インターホン１から送信された画像データおよび音声データの転送を受けた場合、画像データは画像重畳部５２に、音声データはスピーカにそれぞれ引き渡す。
【００３０】
画像重畳部５２は、表示部５３に表示中の画像データ上の例えば右上隅などの一部分にインターホン１から送信された画像データを重畳すべく画像処理を行うものであり、これにより、インターホン１のボタン１１を押下した訪問者の画像が表示部５３の一部分に表示されることになる。この重畳は、表示部５３に表示される画像があたかも切り替わったかのように全画面的に行っても構わない。
【００３１】
また、この時、スピーカ５４からは、訪問者の音声が出力される。つまり、このネットワークシステムでは、ユーザ６がどの部屋に在室していても、各部屋のいずれかのセンサ３がその在室を感知し、その部屋に設置されたテレビジョン受像機４またはパーソナルコンピュータ５ａ，５ｂを通じて、訪問者の画像と音声とをユーザ６に提示することが可能である。
【００３２】
さらに、図２に示したパーソナルコンピュータ５ａの環境設定部５５は、このインターホン１から送信された画像データおよび音声データの転送に関して、次の２つの動作環境を設定する。
【００３３】
（１）呼び出し時の電源オン可否
パーソナルコンピュータ５ａは、主電源がオフされた状態であっても、送受信部５１はホームサーバ２からのデータ転送を受けられるように待機している。そして、この時、電源オン可に設定されていれば、送受信部５１は、パーソナルコンピュータ５ａの電源をオンにする。
【００３４】
これにより、インターホン１から送信された画像データの表示および音声データの出力が実行されることになる。
【００３５】
（２）画像重畳可否
ホームサーバ２によって転送されたインターホン１からの画像データを表示中の画像データに重畳させるかどうかを指定するものであり、画像重畳可に設定されていれば、画像重畳部５２は、前述した重畳のための画像処理を実行する。一方、画像重畳不可に設定されていた場合には、この画像処理は行われず、スピーカ５４からの音声出力のみとなる。
【００３６】
図４は、このホームネットワークシステムにおけるホームサーバ２の動作手順を示すフローチャートである。
【００３７】
インターホン１から画像データおよび音声データが送信されると、ユーザ位置判別部２１は、各部屋に設置された人感センサ３の感知状況を送受信部２１経由で収集する（ステップＡ１）。もし、いずれの人感センサ３もユーザ６を感知していなければ（ステップＡ２のＮＯ）、ユーザ位置判別部２１は、不在メッセージ（音声データ）を送受信部２１経由でインターホン１に送信する（ステップＡ３）。
【００３８】
一方、いずれかの人感センサ３がユーザ６を感知していれば（ステップＡ２のＹＥＳ）、ユーザ位置判別部２１は、その人感センサ３が設置された部屋をユーザ６の位置と判定し、その人感センサ３に割り当てられたＩＤを使用機器選択部２３に通知する（ステップＡ４）。
【００３９】
この通知を受けると、使用機器選択部２３は、映像・音響機器位置情報保持部２４が保持する位置情報を参照し、その人感センサ３に対応づけられた映像・音響機器（テレビジョン受像機４またはパーソナルコンピュータ５ａ，５ｂのいずれか）を認識する。そして、この映像・音響機器を画像データおよび音声データの転送先に決定して、その映像・音響機器にインターホン１からの画像データおよび音声データを転送する旨を送受信部２１に指示する（ステップＡ５）。
【００４０】
そして、この指示を受けた送受信部２１は、インターホン１から送信された画像データおよび音声データを、使用機器選択部２３から指示された映像・音響機器に転送する（ステップＡ６）。
【００４１】
図５は、このホームネットワークシステムにおけるパーソナルコンピュータ５ａの動作手順を示すフローチャートである。
【００４２】
ホームサーバ２から画像データおよび音声データが送信されると、送受信部５１は、主電源がオンされているかどうかを調べる（ステップＢ１）。もし、オンされていなければ（ステップＢ１のＮＯ）、送受信部５１は、今度は、呼び出し時の電源オンが可能な設定かどうかを調べる（ステップＢ２）。
【００４３】
ここで、電源オン可に設定されていれば（ステップＢ２のＹＥＳ）、送受信部５１は、画像データを画像重畳部５２、音声データをスピーカ５４にそれぞれ引き渡す。この場合、表示中の画像データは存在しないので、表示部５３にはインターホン１から送信された画像のみが全画面表示されることになる（ステップＢ３）。一方、電源オン可に設定されていなければ（ステップＢ２のＹＥＳ）、送受信部５１は、この画像データの表示および音声データの出力を断念する。
【００４４】
また、主電源がオンされていた場合（ステップＢ１のＹＥＳ）、送受信部５１は、即時に、画像データを画像重畳部５２、音声データをスピーカ５４にそれぞれ引き渡す。そして、この画像データを受け取った画像重畳部５２は、画像重畳が可能な設定かどうかを調べる（ステップＢ４）。もし、画像重畳可に設定されていれば（ステップＢ４のＹＥＳ）、画像重畳部５２は、表示中の画像データにインターホン１からの画像データを重畳するための画像処理を実行する（ステップＢ５）。一方、画像重畳不可であれば（ステップＢ４のＮＯ）、この画像処理は実行されず、スピーカ５４による音声出力のみが行われることになる（ステップＢ６）。
【００４５】
このように、このホームネットワークシステムによれば、人感センサ３によってユーザ６の位置を判別し、その位置に適した映像・音響機器を選択するといった、その時の状況に応じたデータ転送先の自動選択が可能となる。
【００４６】
なお、例えばユーザ６の他に、その家族等が在宅であってユーザ６と異なる部屋に在室の場合には、複数の人感センサ３が感知状態となる。この場合、使用機器選択部２３は、これらの人感センサ３それぞれに対応づけられた映像・音響機器すべてを転送先として選択するようにしても良いし、予め与えられる優先順序に基づき、その中のいずれか１つを選択するようにしても良い。
【００４７】
また、インターホン１に呼出対象者を特定する機能を持たせ、かつ、人感センサ３に感知した人間を特定する機能を持たせれば、複数の家族が在宅中に訪問者があった場合、その訪問者が呼び出そうとする人が在室する部屋に設置された映像・音響機器のみを転送先として選択することも可能となる。呼出対象者を特定する機能としては、例えばボタン１１を家族別に複数設ける等、一方、感知した人間を特定する機能としては、例えば各人に身に付けさせた非接触ＩＣタグを読み取る等が適用できるが、これに限らず、呼出対象者を特定でき、また、感知した人間を特定できればいずれの手法を採用しても構わない。
【００４８】
（第２実施形態）
次に、この発明の第２実施形態について説明する。図６には、この発明の第２実施形態に係るホームネットワークシステムの構成が示されている。
【００４９】
この第２実施形態のホームネットワークシステムと前述した第１実施形態のホームネットワークシステムとの違いは、ホームサーバ２の接続相手をインターホン１から公衆電話網２００に換えた点にある。また、ユーザ６は、ホームサーバ２と無線通信可能な携帯電話機７を保有しており、ホームサーバ２は、公衆電話網２００に加入するテレビ電話機８からの着信を受け付け、そのテレビ電話機８を使用する人間（ここでは、相手ユーザ９という）が撮影された画像の画像データはユーザ６が在室する部屋に設置された映像・音響機器に転送し、相手ユーザ９が発声した音声の音声データは携帯電話機７に転送する。さらに、ホームサーバ２は、携帯電話機７から送信されたユーザ６の音声の音声データを、テレビ電話機８に向けて公衆電話網２００に送出する。
【００５０】
つまり、このホームネットワークシステムでは、ユーザ６が、どの部屋に在室していても、相手ユーザ９の画像をその部屋に設置された映像・音響機器で観賞しながら、携帯電話機７を介した当該相手ユーザ９との通話を行うことを可能とする。ここでは、ユーザＡは、部屋Ａでテレビジョン受像機４を使用してテレビ番組を視聴しているものとする。
【００５１】
なお、携帯電話機７は、無線公衆電話網に加入し、この無線公衆電話網を介した通話を単独で実行可能な電子機器であるが、ホームサーバ２を介したテレビ電話機８との通話時には、ホームサーバ２との間で例えばＢｌｕｅｔｏｏｔｈ（Ｒ）規格に準拠した無線通信を実行する一通信端末として動作する。
【００５２】
図７は、このホームネットワークシステムの機能ブロックを示す図である。
【００５３】
図７に示すように、このネットワークシステムでは、ホームサーバ２が、さらにユーザ携帯電話機情報保持部２５と留守録部２６とを有する。図８には、ユーザ携帯電話機情報保持部２５が保持する電話機情報の一例が示されている。
【００５４】
図７に示すように、ユーザ携帯電話機情報保持部２５で保持される電話機情報は、ユーザＩＤ、携帯電話機ＩＤを格納する各フィールドを有するテーブル形式で構成される。
【００５５】
このネットワークシステムでは、人感センサ３は、非接触ＩＣタグの読み取り等により、感知した人間を特定する。したがって、使用機器選択部２３がユーザ位置判別部２２から受け取る通知には、部屋Ａに設置された人感センサ３が（特定済みの）ユーザ６を感知している旨が示される。この通知を受けた使用機器選択部２３は、前述したように、図３に示した映像・音響機器位置情報保持部２４によって保持される位置情報を参照することにより、テレビ電話機８から送信された画像データの転送先としてテレビジョン受像機４を使用するのが最適であると判断し、これと同時に、ユーザ携帯電話機情報保持部２５によって保持される電話機情報を参照することにより、テレビ電話機８から送信された音声データの転送先として携帯電話機７を使用するのが最適であると判断する。そこで、使用機器選択部２３は、送受信部２１に対し、公衆電話網２００経由の着信を携帯電話機７に通知する旨を指示するとともに、その後にテレビ電話機８から送信される画像データをテレビジョン受像機４に転送し、また、テレビ電話機８と携帯電話機７との間で送受信される音声データを中継する旨を指示する。
【００５６】
また、留守録部２６は、いずれの人感センサ３もユーザ６を感知していない場合、その旨をユーザ位置判別部２２から通知され、不在メッセージを送受信部２１経由でテレビ電話機８に送信するとともに、テレビ電話機８から送信される伝言メッセージを送受信部２１経由で受け取って記録する。
【００５７】
前述の着信通知を送受信部２１から受ける携帯電話機７は、送受信部７１、スピーカ７２、マイク７３およびボタン７４を有している。
【００５８】
送受信部５１は、ホームサーバ２との間のＬＡＮ１００経由の通信を制御するものであり、着信通知を受けると、呼び出し音を出力するための信号をスピーカ７２に出力する。また、この呼び出し音に応答して、ユーザ６がその着信を受け付ける旨のボタン７４の押下が行われた場合、送受信部５１は、その旨の通知をホームサーバ２に返送する。
【００５９】
この通知の返送を受けたホームサーバ２の送受信部２１は、公衆電話網２００に着信受け付けを通知し、その後、テレビ電話機８から送信された画像データをテレビジョン受像機４に転送するとともに、テレビ電話機８から送信された音声データを携帯電話機７に転送する。また、これと並行して、マイク７３によって入力された音声の音声データが、携帯電話機７からホームサーバ２に送信されるが、ホームサーバ２は、この携帯電話機７から送信された音声データをテレビ電話機８に向けて公衆電話網２００に送出する。
【００６０】
画像データの転送先となったテレビジョン受像機４は、送受信部４１、画像重畳部４２、表示部４３、スピーカ４４および環境設定部４５を有しており、これら各部は、図２に示したパーソナルコンピュータ５ａの送受信部５１、画像重畳部５２、表示部５３、スピーカ５４および環境設定部５５にそれぞれ対応するものである。
【００６１】
図９は、このホームネットワークシステムにおけるホームサーバ２の動作手順を示すフローチャートである。
【００６２】
公衆電話網２００から着信を通知されると、ユーザ位置判別部２１は、各部屋に設置された人感センサ３の感知状況を送受信部２１経由で収集する（ステップＣ１）。もし、いずれの人感センサ３もユーザ６を感知していなければ（ステップＣ２のＮＯ）、ユーザ位置判別部２１は、その旨を留守録部２６に通知し、留守録部２６は、不在メッセージを送受信部２１経由でテレビ電話機８に送信するとともに、テレビ電話機８から送信される伝言メッセージを送受信部２１経由で受け取って記録する（ステップＣ３）。
【００６３】
一方、いずれかの人感センサ３がユーザ６を感知していれば（ステップＣ２のＹＥＳ）、ユーザ位置判別部２１は、その人感センサ３が設置された部屋をユーザ６の位置と判定し、その人感センサ３に割り当てられたＩＤとユーザ６のＩＤとを使用機器選択部２３に通知する（ステップＣ４）。
【００６４】
この通知を受けると、使用機器選択部２３は、映像・音響機器位置情報保持部２４が保持する位置情報を参照し、その人感センサ３に対応づけられた映像・音響機器（テレビジョン受像機４またはパーソナルコンピュータ５ａ，５ｂのいずれか）を認識するとともに、ユーザ携帯電話機情報保持部２５が保持する電話機情報を参照し、ユーザ６の携帯電話機７を認識する（ステップＣ５）。
【００６５】
次に、使用機器選択部２３は、送受信部２１に対し、公衆電話網２００経由の着信を携帯電話機７に通知する旨を指示し、この指示を受けた送受信部２１は、着信通知を携帯電話機７に送信する（ステップＣ６）。
【００６６】
この着信通知に応答して、携帯電話機７から着信を受け付ける旨の通知が送信された場合（ステップＣ７のＹＥＳ）、送受信部２１は、テレビ電話機８から送信される画像データのテレビジョン受像機４への転送処理と、テレビ電話機８と携帯電話機７との間で送受信される音声データの中継処理とを開始する（ステップＣ８）。一方、所定の時間を越えて着信を受け付ける旨の通知が送信されなかった場合（ステップＣ７のＮＯ）、その旨を留守録部２６に通知する。この通知を受けた留守録部２６は、不在メッセージを送受信部２１経由でテレビ電話機８に送信するとともに、テレビ電話機８から送信される伝言メッセージを送受信部２１経由で受け取って記録する（ステップＣ３）。
【００６７】
このように、このホームネットワークシステムによれば、人感センサ３によってユーザ６の位置を判別し、その位置に適した映像・音響機器および携帯電話機を選択するといった、その時の状況に応じたデータ転送先の自動選択が可能となる。
【００６８】
なお、本願発明は、前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。たとえば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００６９】
【発明の効果】
以上のように、この発明によれば、その時々で最適なデータ転送先を適宜に選択することを可能としたネットワークシステム、サーバ機器および通信方法を提供することができる。
【図面の簡単な説明】
【図１】本発明の第１実施形態に係るホームネットワークシステムの構成を示す図。
【図２】同第１実施形態のホームネットワークシステムの機能ブロックを示す図。
【図３】同第１実施形態のホームネットワークシステムの映像・音響機器位置情報保持部が保持する位置情報の一例を示す図。
【図４】同第１実施形態のホームネットワークシステムにおけるホームサーバの動作手順を示すフローチャート。
【図５】同第１実施形態のホームネットワークシステムにおけるパーソナルコンピュータの動作手順を示すフローチャート
【図６】同第２実施形態に係るホームネットワークシステムの構成を示す図。
【図７】同第２実施形態のホームネットワークシステムの機能ブロックを示す図。
【図８】同第２実施形態のホームネットワークシステムのユーザ携帯電話機情報保持部が保持する電話機情報の一例を示す図。
【図９】同第２実施形態のホームネットワークシステムにおけるホームサーバの動作手順を示すフローチャート。
【符号の説明】
１…インターホン、２…ホームサーバ、３…人感センサ、４…テレビジョン受像機、５ａ，５ｂ…パーソナルコンピュータ、６…ユーザ、７…携帯電話機、８…テレビ電話機、９…相手ユーザ、１１…ボタン、１２…カメラ、１３…マイク、１４…スピーカ、１５…送受信部、２１…送受信部、２２…ユーザ位置判別部、２３…使用機器選択部、２４…映像・音響機器位置情報保持部、２５…ユーザ携帯電話機情報保持部、２６…留守録部、４１…送受信部、４２…画像重畳部、４３…表示部、４４…スピーカ、４５…環境設定部、５１…送受信部、５２…画像重畳部、５３…表示部、５４…スピーカ、５５…環境設定部、７１…送受信部、７２…スピーカ、７３…マイク、７４…ボタン、１００…ローカルエリアネットワーク（ＬＡＮ）、２００…公衆電話網。
【図１】
2004266453.tif 000003
【図２】
2004266453.tif 000004
【図３】
2004266453.tif 000005
【図４】
2004266453.tif 000006
【図５】
2004266453.tif 000007
【図６】
2004266453.tif 000008
【図７】
2004266453.tif 000009
【図８】
2004266453.tif 000010
【図９】
2004266453.tif 000011